(57)【要約】  ユーザプロファイル情報と組み合わせたユーザロケーション情報に基づいて広告コンテンツが選択され、モバイル装置ユーザに提供される。１つの実施形態では、ユーザロケーション情報及びユーザプロファイル情報が、ネットワーク接続を介して広告サーバに提供される。その後、モバイル装置の現在のロケーション情報に基づいて、前述のプロファイル情報と組み合わせて広告データベース検索動作を行うことができる。この検索動作の結果により、ユーザにとって現時点で最も関心がありそうな利用可能な広告が特定される。【選択図】図１
2011511342.tif 000002
【特許請求の範囲】
【請求項１】
モバイル装置に広告コンテンツを提供する方法であって、
前記モバイル装置の現在のロケーション情報を無線ネットワーク接続を介して受け取るステップと、
前記モバイル装置のユーザに対応するユーザプロファイル情報にアクセスするステップと、
前記現在のロケーション情報及び前記ユーザプロファイル情報に基づいて広告データベース検索を行うステップと、
前記広告データベース検索に基づいて広告コンテンツを選択するステップと、
前記無線ネットワーク接続を介して前記広告コンテンツを前記モバイル装置へ送信するステップと、
を含むことを特徴とする方法。
【請求項２】
オンラインユーザ活動に少なくとも部分的に基づいて、前記モバイル装置からユーザプロファイルデータを受け取るステップをさらに含む、
ことを特徴とする請求項１に記載の方法。
【請求項３】
前記オンラインユーザ活動が、音楽ダウンロード、ビデオダウンロード、オンライン購入、ウェブブラウジング、ｅメール、携帯メール、社会的相互作用、オンラインゲーム、個人広告、ナビゲーション及びニュース選択のうちの少なくとも１つを含む、
ことを特徴とする請求項２に記載の方法。
【請求項４】
前記ユーザプロファイルデータを使用して前記ユーザプロファイル情報を更新するステップをさらに含む、
ことを特徴とする請求項２に記載の方法。
【請求項５】
前記ユーザプロファイルデータが、前記モバイル装置の過去のロケーションデータをさらに含む、
ことを特徴とする請求項１に記載の方法。
【請求項６】
前記モバイル装置からの口頭による通信に対して音声−テキスト変換動作を行うステップをさらに含む、
ことを特徴とする請求項１に記載の方法。
【請求項７】
前記口頭による通信から得られる１又はそれ以上のキーワードを使用して前記ユーザプロファイル情報を更新するステップをさらに含む、
ことを特徴とする請求項６に記載の方法。
【請求項８】
広告コンテンツを選択するステップが、利用可能な広告のデータベースから広告コンテンツを選択するステップを含む、
ことを特徴とする請求項１に記載の方法。
【請求項９】
前記広告データベース検索を行うステップが、
前記ユーザプロファイル情報に基づいて、利用可能な広告のプールから個人に合わせた広告セットを特定するステップと、
前記現在のロケーション情報に基づいて、前記個人に合わせた広告セットのサブセットを特定するステップをさらに含む、
ことを特徴とする請求項１に記載の方法。
【請求項１０】
広告コンテンツを選択するステップが、前記サブセットから１又はそれ以上の広告を選択するステップを含む、
ことを特徴とする請求項９に記載の方法。
【請求項１１】
広告コンテンツをネットワークを介して提供するように構成された広告サーバであって、
前記サーバを前記ネットワークに接続するように構成されたネットワークインターフェイスと、
オンラインコンテンツ選択を実行するためのプロセッサ実行可能命令を含むメモリと、
前記メモリに電気的に結合されたプロセッサと、
を備え、前記プロセッサが、前記プロセッサ実行可能命令を実行して、
前記モバイル装置の現在のロケーション情報を前記ネットワークを介して受け取り、
前記モバイル装置のユーザに対応するユーザプロファイル情報にアクセスし、
前記現在のロケーション情報及び前記ユーザプロファイル情報に基づいて広告データベース検索を行い、
前記広告データベース検索に基づいて広告コンテンツを選択し、
前記ネットワークを介して前記広告コンテンツを前記モバイル装置へ送信する、
ように構成されたことを特徴とする広告サーバ。
【請求項１２】
前記プロセッサが、前記プロセッサ実行可能命令を実行して、オンラインユーザ活動に少なくとも部分的に基づいて前記モバイル装置からユーザプロファイルデータを受け取るようにさらに構成された、
ことを特徴とする請求項１１に記載の広告サーバ。
【請求項１３】
前記オンラインユーザ活動が、音楽ダウンロード、ビデオダウンロード、オンライン購入、ウェブブラウジング、ｅメール、携帯メール、社会的相互作用、オンラインゲーム、個人広告、ナビゲーション及びニュース選択のうちの少なくとも１つを含む、
ことを特徴とする請求項１２に記載の広告サーバ。
【請求項１４】
前記プロセッサが、前記プロセッサ実行可能命令を実行して、前記ユーザプロファイルデータを使用して前記ユーザプロファイル情報を更新するようにさらに構成された、
ことを特徴とする請求項１１に記載の広告サーバ。
【請求項１５】
前記ユーザプロファイルデータが、前記モバイル装置の過去のロケーションデータをさらに含む、
ことを特徴とする請求項１１に記載の広告サーバ。
【請求項１６】
前記プロセッサが、前記プロセッサ実行可能命令を実行して、前記モバイル装置からの口頭による通信に対して音声−テキスト変換動作を行うようにさらに構成された、
ことを特徴とする請求項１１に記載の広告サーバ。
【請求項１７】
前記プロセッサが、前記プロセッサ実行可能命令を実行して、前記口頭による通信から得られる１又はそれ以上のキーワードを使用して前記ユーザプロファイル情報を更新するようにさらに構成された、
ことを特徴とする請求項１６に記載の広告サーバ。
【請求項１８】
前記プロセッサが、前記広告コンテンツを選択するために、前記プロセッサ実行可能命令を実行して、利用可能な広告のデータベースから広告コンテンツを選択するようにさらに構成された、
ことを特徴とする請求項１１に記載の広告サーバ。
【請求項１９】
前記プロセッサが、前記広告データベース検索を行うために、前記プロセッサ実行可能命令を実行して、
前記ユーザプロファイル情報に基づいて、利用可能な広告のプールから個人に合わせた広告セットを特定し、
前記現在のロケーション情報に基づいて、前記個人に合わせた広告セットのサブセットを特定する、
ようにさらに構成されたことを特徴とする請求項１１に記載の広告サーバ。
【請求項２０】
前記プロセッサが、前記広告コンテンツを選択するために、前記プロセッサ実行可能命令を実行して、前記サブセットから１又はそれ以上の広告を選択するようにさらに構成された、
ことを特徴とする請求項１９に記載の広告サーバ。
【発明の詳細な説明】
【技術分野】
【０００１】
本発明は、一般に、ロケーションベースの広告コンテンツを提供することに関し、より具体的には、ユーザプロファイル情報に基づいてモバイル装置ユーザにロケーションベースの広告コンテンツを提供することに関する。
【背景技術】
【０００２】
最近、無線通信事業者によるモバイル加入者への、オンラインゲーム、インターネットブラウジング、オンラインショッピング及びソーシャルネットワーキングなどの新しいサービス及びコンテンツの絶え間ない提供に伴い、携帯情報端末（ＰＤＡ）、携帯電話、スマートフォンなどのモバイル装置の人気が劇的に高まってきた。
【発明の概要】
【発明が解決しようとする課題】
【０００３】
広告業界には、新しくより効果的な方法で潜在的消費者を掴みたいという願望が常に存在する。これを受けて、広告主は、特にモバイル装置ユーザの居場所を問わず、また事実上いつでもこのようなユーザを掴めるという前提でモバイル装置ユーザを掴む必要があることを理解し始めてきた。しかしながら、このようなユーザを簡単に掴むことができる一方で、不要な又は的外れの広告が、広告を押し付けられることなくモバイル装置を使用することに慣れてしまった消費者からの否定的な反応を招き得るという懸念もある。従って、モバイル装置ユーザに広告コンテンツを推し進めるためのいくらかの努力は行われてきたが、このような努力は、大部分が十分に個人に合わせた広告コンテンツを提供できないまま失敗に終わっている。このデータは、広告の関連性及び方向性がより高いものであるほど、消費者にとってうっとうしいと思われる可能性が低いことを示唆している。従って、より方向性の高い個人に合わせた広告コンテンツをモバイル装置ユーザに提供する方法が必要である。
【課題を解決するための手段】
【０００４】
本明細書では、モバイル装置に広告コンテンツを提供するための方法およびサーバを開示するとともにこの特許を請求する。１つの実施形態では、方法が、モバイル装置の現在のロケーション情報を無線ネットワーク接続を介して受け取るステップと、モバイル装置のユーザに対応するユーザプロファイル情報にアクセスするステップと、現在のロケーション情報及びユーザプロファイル情報に基づいて広告データベース検索を行うステップと、広告データベース検索に基づいて広告コンテンツを選択するステップとを含む。この方法は、無線ネットワーク接続を介して広告コンテンツをモバイル装置へ送信するステップをさらに含む。
【０００５】
関連技術の当業者には、以下の本発明の例示的な実施形態の説明に照らして、本発明のその他の態様、特徴及び技術が明らかになるであろう。
【図面の簡単な説明】
【０００６】
【図１】本発明の実施形態による通信システムを示す図である。
【図２】本発明の実施形態による、モバイルユーザ装置によって実行されるプロセスを示す図である。
【図３】本発明の実施形態による、広告サーバによって実行されるプロセスを示す図である。
【図４】本発明の実施形態による、広告サーバによって実行される別のプロセスを示す図である。
【発明を実施するための形態】
【０００７】
開示の概要
本発明は、一般に、ユーザプロファイル情報と組み合わせたユーザロケーション情報に基づいて広告コンテンツを選択し、これをモバイル装置ユーザに提供することに関する。いくつかの実施形態では、サインアッププロセス中に、或いはユーザのオンライン活動に基づいてユーザプロファイル情報を受け取ることができる。
【０００８】
本発明の１つの態様は、ネットワーク接続を介して所与のモバイル装置のユーザロケーション情報を広告サーバに提供することである。また、モバイル装置のユーザの過去のオンライン活動に対応するユーザプロファイル情報も広告サーバに提供される。１つの実施形態では、ユーザプロファイル情報が、所与のモバイル装置の過去のロケーション情報を含むこともできる。
【０００９】
本発明の別の態様は、現在のロケーション情報をプロファイル情報と組み合わせて使用して、利用可能な最も関連性の高い広告コンテンツを求めてデータベース検索を行うことである。１つの実施形態では、このデータベース検索動作が、まずユーザプロファイル情報に基づき、その後ユーザの現在のロケーション情報に基づく、広告データベースの二段階のフィルタリング動作を含むことができる。このようにして、ユーザにとって現時点で最も関心がありそうな広告を選択し、これをユーザのモバイル装置に提供することができる。
【００１０】
本明細書で使用する場合、「１つの（英文不定冠詞）」という用語は、１又はそれ以上を意味するものとする。「複数の」という用語は、２又はそれ以上を意味するものとする。「別の」という用語は、第２の又はそれ以上の、と定義される。「含む（ｉｎｃｌｕｄｉｎｇ）」及び／又は「有する（ｈａｖｉｎｇ）」という用語は、（「からなる（ｃｏｍｐｒｉｓｉｎｇ）」のような）包括的な用語であると定義される。用語「又は」は、本明細書で使用するとき、包括的、すなわち、任意の１つ又は任意の組合せと解釈するべきである。従って、「Ａ、Ｂ又はＣ」は「以下、すなわち、Ａ、Ｂ、Ｃ、Ａ及びＢ、Ａ及びＣ、Ｂ及びＣ、Ａ、Ｂ及びＣのいずれか」を意味する。この定義に対する例外は、要素、機能、ステップ又は行為の組合せが何らかの形で本質的に互いに相容れない場合にのみ生じる。本明細書を通じて、「１つの実施形態」、「特定の実施形態」、「ある実施形態」、又は類似の用語に対する言及は、実施形態に関連して説明する特定の機能、構造又は特性が、本発明の少なくとも１つの実施形態に含まれることを意味する。従って、本明細書を通じて至るところに出現するこのような語句は、必ずしも全てが同じ実施形態について言及しているものではない。さらに、本発明を限定しない１又はそれ以上の実施形態に上記特定の特徴、構造又は特性をあらゆる好適な態様で組み込むことができる。
【００１１】
コンピュータプログラミングの技術における当業者の手法に従って、以下、コンピュータシステム又は同様の電子システムにより実行される動作を参照しながら本発明について説明する。これらの動作は、コンピュータ実行型と呼ばれることもある。符号で表される動作として、中央処理装置などのプロセッサによる、データビットを表す電気信号の操作、及びシステムメモリ内などの記憶場所におけるデータビットの保持、並びにその他の信号の処理が挙げられることが理解されよう。データビットを保持する記憶場所とは、データビットに対応する特定の電気的、磁気的、光学的、又は有機的特性を有する物理的場所のことである。
【００１２】
ソフトウェアの形で実現される場合、基本的に本発明の要素は、必要なタスクを行うためのコードセグメントである。コードセグメントは、情報を記憶又は転送できるあらゆる媒体を含むことができるプロセッサ可読媒体に記憶することができる。プロセッサ可読媒体の例として、電子回路、半導体メモリ装置、読み取り専用メモリ（ＲＯＭ）、フラッシュメモリ又はその他の不揮発性メモリ、フロッピディスケット、ＣＤ−ＲＯＭ、光ディスク、ハードディスク、光ファイバメディア、無線周波数（ＲＦ）リンクなどが挙げられる。
【００１３】
例示的なオンライン環境の概要
図１は、本発明の１又はそれ以上の態様を実現できる通信システム１００を示している。詳細には、少なくとも１つのモバイル装置１１０に無線通信サービスを提供する通信事業者ネットワーク１０５を含むものとして通信システム１００を示している。通信事業者ネットワーク１０５は、グローバルシステムフォーモバイルコミュニケーション（ＧＳＭ）、汎用パケット無線システム（ＧＰＲＳ）、符号分割多重アクセス方式（ＣＤＭＡ）又は広帯域ＣＤＭＡ（ＷＣＤＭＡ）などの少なくとも１つの無線通信プロトコルをサポートする。モバイル装置１１０は、携帯電話、スマートフォン、携帯情報端末（ＰＤＡ）、ハンドヘルドコンピュータなどの、通信事業者ネットワーク１０５と通信するようになっているいずれの電子装置であってもよい。
【００１４】
モバイル装置１１０は、ディスプレイ１１５、ユーザ入力部１２０、及び１つの実施形態では全地球測位システム（ＧＰＳ）情報などのロケーション情報を特定して処理するように構成された１又はそれ以上のソフトウェアモジュールを含むロケーションクライアント１２５を含む。１つの実施形態では、ディスプレイ１１５を液晶ディスプレイ（ＬＣＤ）とすることができるが、本発明の原理によるその他のあらゆる種類のディスプレイを使用できることを同様に理解されたい。ユーザ入力部１２０は、キーパッド、テンキー、キーボード又はその他のあらゆる個々のキー、ボタンなどの集合の形の１又はそれ以上のボタン又はキーを含むことができる。別の実施形態では、ユーザ入力部１２０をディスプレイ１１５と一体化してタッチスクリーンの形にすることができる。典型的な実施形態では、モバイル装置１１０は、処理能力及び／又はデータ記憶能力が限られたリソース限定装置となる。
【００１５】
引き続き図１を参照すると、モバイル装置１１０を、ユーザの音声入力を構文解析してこのような音声入力をテキストに変換するように構成された１又はそれ以上のソフトウェアモジュールを含むことができる任意の音声−テキスト変換アプリケーション１３０を含むものとしてさらに示している。また、モバイル装置１１０は、ブラウザアプリケーション、ｅメールクライアント、テキストメッセージクライアントなどのいずれかの公知のモバイル装置ソフトウェアアプリケーションを含むことができる１又はそれ以上の追加アプリケーション１３５をさらに含む。
【００１６】
通信システム１００は、モバイル装置１１０、コンテンツサーバ１４５1〜１４５n、及び広告サーバ１５５の間に通信経路を提供するインターネットプロトコル（ＩＰ）ネットワーク１４０をさらに含む。図１は、通信事業者ネットワーク１０５をＩＰネットワーク１４０とは別個の異なるものとして示しているが、通信事業者ネットワーク１０５及びＩＰネットワーク１４０が提供する機能を単一のネットワークによって提供し、或いは単一の通信事業者によって、又はより大きな個々のネットワークの集合の一部として運営及び管理できることを同様に理解されたい。ＩＰネットワーク１４０については、他のいずれのパケットベースのネットワーキング技術に基づくものであってもよいことを理解されたい。
【００１７】
システム１００は、ユーザの音声入力を構文解析してテキストベースの入力に変換するために、前述の任意の音声−テキスト変換アプリケーション１３０の代わりに、或いはこれに加えて使用できる任意の音声認識サーバ１５０をさらに含む。
【００１８】
コンテンツサーバ１４５1〜１４５nは、オーディオコンテンツ、ビデオコンテンツ、ストリーミングメディア、音楽、ゲームベースのコンテンツ、（オンライン購入などの）トランザクションベースのコンテンツ、テキストベースのコンテンツ、グラフィクスベースのコンテンツ及びこれらのあらゆる組み合わせを含むオンラインコンテンツをＩＰネットワーク１２０を介して提供できるあらゆるサーバを含むことができる。また、図２〜図４を参照しながら以下でより詳細に説明するように、広告サーバ１５５を、モバイル装置１１０に広告コンテンツを提供するように構成することができる。広告サーバ１５０は、単一のサーバであってもよく、又はサーバの集合であってもよい。
【００１９】
１つの実施形態では、広告サーバ１５５が、（モバイル装置１１０のユーザなどの）複数のユーザのユーザプロファイル情報を保持するように構成されたプロファイルデータベース１５５又はデータベースの集合を含むことができる。例えば、このプロファイルデータベースは、所与のモバイルユーザのオンライン活動に関連するプロファイル情報を保持することができる。このようなプロファイルデータベース１５５は、年齢、社会階級、性、人種、収入、学歴、持ち家、雇用状態などの個々の人口学的特性の集合を含むことができる。また、このようなユーザプロファイル情報は、例えばロケーションクライアント１２５を使用してモバイル装置１１０により提供された過去のロケーション情報を含むことができる。また、ユーザプロファイル情報は、ブラウジング傾向、ｅメール又は携帯メール傾向などの、ユーザのあらゆるオンライン傾向を含むことができる。このようなプロファイル情報は、ｅメール及びテキストメッセージの内容、並びに音声−テキスト変換アプリケーション１３０及び／又は音声認識サーバ１５５を使用してテキストに変換された音声通信の内容を含む、ユーザが行った通信に基づくものであってもよいことをさらに理解されたい。プロファイルデータベースは広告サーバと一体化されたものとして示しているが、これとは別にプロファイルデータベースを、やはりＩＰネットワーク１２０に結合された別個のサーバと一体化することができる。
【００２０】
プロファイルデータベース１６５に加え、広告サーバ１５５は広告データベース１６０をさらに含むことができ、１つの実施形態では、この広告データベース１６０が、モバイル装置１１０などのユーザ装置に提供される広告コンテンツを含むことができる。このような広告コンテンツは、オーディオ広告、ビデオ広告、テキストベースの広告、グラフィクスベースの広告及びこれらのあらゆる組み合わせを含むことができる。
【００２１】
ここで図２を参照すると、（通信事業者ネットワーク１０５及び／又はＩＰネットワーク１４０などの）無線ネットワーク接続を介して（広告サーバ１５５などの）広告サーバと通信する（モバイル装置１１０などの）モバイル装置を使用して本発明の１つの実施形態を実施するためのプロセス２００を示している。１つの実施形態では、モバイル装置上で実行される１又はそれ以上の（アプリケーション１３５などの）ソフトウェアモジュールを使用してプロセス２００を実施することができる。いずれにせよ、プロセス２００は、ブロック２１０においてユーザの現在のロケーションを特定することから開始する。１つの実施形態では、ＧＰＳトランシーバ及び（ロケーションクライアント１２５などの）ロケーションクライアントにより提供される装置のＧＰＳ機能を使用してユーザの現在のロケーションを特定することができる。次に、プロセス２００はブロック２２０へと続くことができ、ここでブロック２１０において特定されたロケーション情報を無線ネットワーク接続を介して広告サーバへ送信することができる。１つの実施形態では、ロケーション情報が標準座標情報を含むことができるのに対し、他の実施形態では、ロケーション情報が、（郵便番号、市外局番、都市、郡などの）その他のいずれかの場所測定基準に基づくことができる。
【００２２】
次にプロセス２００はブロック２３０へと続くことができ、ここでユーザプロファイルデータを特定することができる。このようなユーザプロファイルデータは、音楽又はビデオのダウンロード履歴／傾向及び／又はオンライン購入履歴／傾向を含むことができる。プロファイルデータの推測に使用できる可能性のあるオンライン行動の範囲として、対象ユーザのブラウジング、ｅメール、携帯メール、社会的相互作用、オンラインゲーム活動、オークション、個人広告、ナビゲーション及びニュース選択に関する履歴又は傾向をさらに挙げることができる。基本的に、プロファイルデータを推測に使用できるユーザ活動の形は、ユーザプロファイル内でカタログ化できる活動の種類と同じくらい様々である。
【００２３】
ユーザプロファイル情報の別の例は、ｅメール及びテキストメッセージの実際の内容を含むユーザ通信に基づくことができる。モバイル装置上で、或いは（広告サーバ１５０などの）広告サーバ上で実行される（アプリケーション１３５の１つなどの）アプリケーションにより、このような通信を構文解析することができる。いずれにせよ、所与のユーザのプロファイル情報を更新するために、プロファイルデータとして１又はそれ以上のキーワードを広告サーバへ送信することができる。同様に、（図１の音声−テキスト変換アプリケーション１３０及び／又は音声認識サーバ１５５などを使用して）音声通信をテキストに変換し、構文解析したデータを広告サーバへ転送することができる。
【００２４】
引き続き図２を参照すると、２３０ブロックにおいてユーザプロファイル情報が特定されると、ブロック２４０においてこれを広告サーバへ送信することができる。その後、プロセス２００はブロック２１０へループして戻ることができ、ここで更新されたユーザロケーション情報を特定することができる。このようにして、本発明の原理に従って、ユーザプロファイル及びロケーション履歴を中央広告サーバにより更新して保持することができる。
【００２５】
ここで図３を参照すると、本発明の１つの実施形態を実施するための別のプロセス３００を示している。詳細には、（通信事業者ネットワーク１０５及び／又はＩＰネットワーク１４０などの）ネットワーク接続を介して（モバイル装置１１０などの）複数のモバイル装置と通信する（広告サーバ１５５などの）広告サーバによってプロセス３００を実施することができる。ブロック３１０から開始して、プロセス３００は、１つの実施形態では図２のブロック２２０において送信されたロケーション情報とすることができるユーザロケーション情報を受け取るステップを含む。次に、プロセス３００はブロック３２０へ進むことができ、ここでユーザプロファイル情報を受け取ることができる。１つの実施形態では、ブロック３２０において受け取ったユーザプロファイル情報が、プロセス２００中にブロック２４０において送信されたユーザプロファイル情報に対応することができる。いずれにせよ、このようなユーザプロファイルデータは、モバイル装置のユーザが行うあらゆるオンライン活動を含むことができる。
【００２６】
その後、プロセス３００はブロック３３０へと続くことができ、ここでブロック３１０の受け取ったユーザロケーション情報及び／又はブロック３２０のユーザプロファイルデータに基づいて、所与のモバイル装置に関連するユーザプロファイルを更新することができる。このようにして、ユーザのオンライン傾向及び物理的ロケーションの履歴を保持することができる。
【００２７】
ここで図４を参照すると、本発明の原理に従って（広告サーバ１５０などの）広告サーバにより実施されるプロセス４００の１つの実施形態を示している。具体的には、プロセス４００は、ブロック４１０において、広告サーバが（通信事業者ネットワーク１０５及び／又はＩＰネットワーク１４０などの）ネットワーク接続を介して（モバイル装置１１０などの）所与のモバイル装置から現在のユーザロケーション情報を受け取ることから開始する。１つの実施形態では、このロケーション情報が、図２のブロック２２０においてモバイル装置により提供されたプロセス２００のロケーション情報に対応することができる。
【００２８】
ブロック４１０のロケーション情報を受け取ると、プロセス４００はブロック３２０へと続くことができ、ここで（プロファイルデータベース１６５などから）所与のモバイル装置に対応するユーザプロファイルにアクセスすることができる。１つの実施形態では、ロケーション情報と共に送信された識別コードを使用してこの検索動作を行うことができるが、数多くのその他の方法も同様に使用できることを同様に理解されたい。例えば、モバイル装置上で実行される（ロケーションクライアント１２５などの）ロケーションクライアントが、持続的接続を介して及び／又は特定のデータフォーマットに従って、ロケーション情報を広告サーバへ転送することができる。
【００２９】
ブロック４２０において適当なユーザプロファイル情報がアクセスを受けると、プロセス４００はブロック４３０へと続くことができ、ここでブロック４１０において受け取った現在のロケーション情報及びブロック４２０においてアクセスしたユーザプロファイル情報の組み合わせに基づいて、（広告データベース１６０などの）広告データベースの検索動作を行うことができる。上述したように、プロファイル情報は、頻繁に訪れる領域、並びにユーザのオンライン傾向などのユーザのロケーションの履歴を含むことができる。このような傾向は、音楽又はビデオダウンロード、オンライン購入、ブラウジング、ｅメール、携帯メール、社会的相互作用、オンラインゲーム活動、オークション、個人広告、及び／又はニュース選択履歴／傾向のようなものを含むことができる。
【００３０】
１つの実施形態では、４３０のデータベース検索動作は、広告データベースの二段階のフィルタリング動作を含むことができる。すなわち、第１の動作は、ユーザプロファイル情報に基づいて全ての利用可能な広告のプールをフィルタリングするステップを含むことができ、この結果、問題のユーザにとって一般的に最も関心のありそうな広告が特定される。その後、ユーザの現在のロケーション情報に基づいてこの広告のサブセットをさらにフィルタリングすることにより、ユーザにとって現時点で一般的に最も関心のありそうなユーザの現在位置に基づく広告を特定することができる第２の動作を行うことができる。
【００３１】
ブロック４３０の検索動作の結果に基づいて、プロセス４００はブロック４４０へと続くことができ、ここで（広告データベース１６０などの）広告データベースから広告コンテンツを選択することができる。上述したように、このような広告コンテンツは、オーディオ広告、ビデオ広告、テキストベースの広告、グラフィクスベースの広告及びこれらのあらゆる組み合わせを含むことができる。
【００３２】
その後、プロセス４００はブロック４５０へと続くことができ、ここで選択された広告コンテンツをネットワーク接続を介してユーザのモバイル装置へ送信することができる。１つの実施形態では、選択された広告コンテンツが、モバイル装置１１０へ至る通信事業者ネットワーク１０５及び／又はＩＰネットワーク１４０などの無線ネットワーク接続を介してモバイル装置へ送信される。このようにして、最も関連性の高い広告コンテンツをモバイル装置ユーザが利用できるようにすることができる。すなわち、ユーザにとって現在の場所において最も関心がありそうな広告を特定してユーザに提供することができる。
【００３３】
図２〜図４に関して上述した無線通信は、通信事業者ネットワーク及び別個のＩＰネットワークの一方又は両方を介して行なうことができるが、場合によっては１つのネットワークのみを使用することができる。同様に、これとは別にいくつかの相互接続ネットワークを使用することができる。
【００３４】
様々な実施形態に関連して本発明について説明したが、本発明をさらに修正できることを理解されたい。本出願は、一般に、本発明の原理に従うとともに本発明が関連する技術における公知の及び習慣的な手法に該当するような本開示からの逸脱を含む本発明のあらゆる変形、使用、又は適用を対象とすることが意図されている。
【符号の説明】
【００３５】
１００  通信システム
１０５  通信事業者ネットワーク
１１０  モバイル装置
１１５  ディスプレイ
１２０  ユーザ入力部
１２５  ロケーションクライアント
１３０  任意の音声−テキスト変換アプリケーション
１３５  アプリケーション
１４０  ＩＰネットワーク
１４５1  コンテンツサーバ
１４５n  コンテンツサーバ
１５０  任意の会話認識サーバ
１５５  広告サーバ
１６０  広告データベース
１６５  プロファイルデータベース
【図１】
2011511342.tif 000003
【図２】
2011511342.tif 000004
【図３】
2011511342.tif 000005
【図４】
2011511342.tif 000006
【国際調査報告】
2011511342.tif 000007